(57)【要約】      （修正有）【課題】組み立ておよび使用適性が改善された特徴を有する加湿システムを提供する。【解決手段】使用者に加湿ガスを送達するための加湿システムは、ヒーターベースと、入口、出口、および関連の流体導管を有する加湿チャンバと、供給導管、吸息導管、および任意選択的な呼息導管を含む呼吸回路とを含み得る。加湿システムは、セットアップを簡単にしかつ時間の節約に役立つ様々な特徴を含み得る。例えば、供給導管、吸息導管、および任意選択的な呼息導管は、セットアップを支援するために一体形回路に結合され得る。様々な構成要素は、色分けでき、かつセットアップ中にどの構成要素を互いに接続すべきかを示すために、対応する構造を有し得る。そのような特徴はまた、操作者がセットアッププロセスをより直感的に行うために役立つことができ、それにより、専門的な訓練の必要性を減らし、かつエラーが発生し得る回数を減らし得る。【選択図】図１
2020182864.tif 000002
【特許請求の範囲】
【請求項１】
第１および第２のセンサーを含むヒーターベースであって、前記第１および第２のセンサーは、加熱板よりも垂直方向に高い位置に位置決めされ、前記加熱板は、加湿チャンバを支持するように構成されている、ヒーターベースと；
前記液体入口に結合された第１の端部、および液体源に接続されるように構成されたスパイクに結合された第２の端部を有する液体導管と
を含む加湿装置であって、
前記加湿チャンバは、ある量の液体を保持するように構成され、かつ：
少なくとも１つの側壁；
前記少なくとも１つの側壁に接続された上壁；
前記少なくとも１つの側壁および前記上壁によって少なくとも部分的に画成されているキャビティ；
前記キャビティと流体連通している液体入口；
前記上壁を通って延在しかつ前記キャビティへの通路を画成する入口ポートであって、前記入口ポートは、前記第１のセンサーを受け入れるように構成されたアパーチャを有していて、前記入口ポートの少なくとも一部は、前記入口ポートに結合されるように構成された供給導管の第１の端部にあるコネクタのインジケータと協働するように構成された第１のインジケータを含み、前記供給導管の第２の端部は、ガス供給装置と結合するように構成されている、入口ポート；
前記上壁を通って延在しかつ前記キャビティからの通路を画成する出口ポートであって、前記出口ポートは、前記第２のセンサーを受け入れるように構成されたアパーチャを有していて、前記出口ポートの少なくとも一部は、前記出口ポートに結合されるように構成された吸息導管の第１の端部にあるコネクタのインジケータと協働するように構成された第２のインジケータを含み、前記吸息導管は、患者にガスを供給するように構成されている、出口ポート；および
前記ヒーターベース上の対応するインターロック特徴を受け入れるように構成された前記上壁のインターロック特徴であって、前記第１および第２のセンサーが前記入口ポートおよび出口ポートの前記アパーチャに収容されるように、前記ヒーターベース上へ前記チャンバの挿入を案内するインターロック特徴
を含む加湿装置。
【請求項２】
前記第１および第２のセンサーが、前記ヒーターベースに機械的におよび電気的に接続されたセンサーカートリッジモジュールに組み込まれている、請求項１に記載の加湿装置。
【請求項３】
さらに、供給導管および吸息導管を含み、前記供給導管の第１の端部は、前記入口ポートに結合するように構成されたチャンバ端部コネクタを含み、前記供給導管の第２の端部は、ガス供給装置に結合するように構成され、前記供給導管のチャンバ端部コネクタの少なくとも一部は、前記第１のインジケータを含み、前記吸息導管の第１の端部は、前記出口ポートに結合されるように構成されたチャンバ端部コネクタを含み、および前記吸息導管のチャンバ端部コネクタの少なくとも一部は前記第２のインジケータを含む、請求項１または２に記載の加湿装置。
【請求項４】
前記第１のインジケータは第１の色を含み、および前記第２のインジケータは第２の色を含む、請求項１〜３のいずれか一項に記載の加湿装置。
【請求項５】
ある量の液体を保持するように構成され、かつ：
少なくとも１つの側壁；
前記少なくとも１つの側壁に接続された上壁；
前記少なくとも１つの側壁に接続されたベース面；
前記少なくとも１つの側壁および前記上壁によって少なくとも部分的に画成されているキャビティ；
前記加湿チャンバの前記キャビティへの通路を画成する入口ポートであって、ヒーターベースに取り付けられた第１のセンサーを受け入れるように構成されたアパーチャを有する入口ポート；
前記加湿チャンバの前記キャビティからの通路を画成する出口ポートであって、ヒーターベースに取り付けられた第２のセンサーを受け入れるように構成されたアパーチャを有する出口ポート；
を含む加湿チャンバ
を含み、
前記加湿チャンバの前記少なくとも１つの側壁および前記上壁の少なくとも一方が、前記加湿チャンバの前側および前記加湿チャンバの後側を画成する特徴を有し；
前記入口ポートの前記アパーチャを通って延びる軸が、前記出口ポートの前記アパーチャを通って延びる軸に全体的に平行であって、これら両軸は、前記加湿チャンバの前後方向に延在し、および前記加湿チャンバの前記ベース面に全体的に平行に延在している、加湿装置。
【請求項６】
さらに、前記加湿チャンバを受け入れるように構成されたヒーターベースを含む、請求項５に記載の加湿装置。
【請求項７】
前記少なくとも１つの側壁および前記上壁の少なくとも一方が、前記ヒーターベース上の対応するインターロック特徴を受け入れるように構成されたインターロック特徴を含み、前記第１および第２のセンサーが前記入口および出口ポートの前記アパーチャに受け入れられるように、前記ヒーターベース上へ前記チャンバの挿入を案内する、請求項５または６に記載の加湿装置。
【請求項８】
前記インターロック特徴が前記上壁に凹部を含み、および前記ヒーターベース上の前記インターロック特徴が、対応する突起を含み、前記上壁の前記インターロック特徴および前記ヒーターベース上の前記インターロック特徴が、前記入口ポートおよび前記出口ポートにある前記アパーチャの前記軸に沿って動くことによって係合される、請求項７に記載の加湿装置。
【請求項９】
前記ヒーターベースが、前記第１および第２のセンサーを含むセンサーカートリッジを含む、請求項６に記載の加湿装置。
【請求項１０】
さらに、前記出口ポートに結合するように構成されたチャンバ端部コネクタおよび少なくとも１つのセンサーおよび／または加熱素子を含む吸息導管を含み、前記チャンバ端部コネクタは、前記センサーカートリッジ上の対応する電気的な接続部に結合するように構成された電気的な接続部を含む、請求項９に記載の加湿装置。
【請求項１１】
さらに、供給導管、吸息導管、および呼息導管を含み、前記供給導管の第１の端部は、ガス供給装置に結合されるように構成され、前記供給導管の第２の端部は、前記入口ポートに結合されるように構成されたチャンバ端部コネクタを含み、前記吸息導管の第１の端部は、前記出口ポートに結合されるように構成されたチャンバ端部コネクタを含み、前記呼息導管の第１の端部は、使用時に患者によって呼気されたガスを受け入れるように構成され、および前記呼息導管の第２の端部は、前記ガス供給装置に結合されるように構成されている、請求項５に記載の加湿装置。
【請求項１２】
前記供給導管、吸息導管、および呼息導管が互いに結合して一体形回路を形成する、請求項１１に記載の加湿装置。
【請求項１３】
前記供給導管、吸息導管、および呼息導管が、メッシュ包装材料、クリップ、面ファスナー、またはスナップ嵌めによって結合される、請求項１２に記載の加湿装置。
【請求項１４】
前記供給導管の前記チャンバ端部コネクタの少なくとも一部、および前記入口ポートの少なくとも一部が、第１のインジケータを含む、請求項１１〜１３のいずれか一項に記載の加湿装置。
【請求項１５】
前記第１のインジケータが第１の色を含む、請求項１４に記載の加湿装置。
【請求項１６】
前記吸息導管の前記チャンバ端部コネクタの少なくとも一部、および前記出口ポートの少なくとも一部が、第２のインジケータを含む、請求項１１〜１５のいずれか一項に記載の加湿装置。
【請求項１７】
前記第２のインジケータが第２の色を含む、請求項１６に記載の加湿装置。
【請求項１８】
さらにＹピースを含み、前記吸息導管の第２の端部が、前記Ｙピースの第１の枝管に結合されるように構成された患者端部コネクタを含み、前記呼息導管の前記第１の端部が、前記Ｙピースの第２の枝管に結合されるように構成された患者端部コネクタを含み、および前記Ｙピースの少なくとも一部が第３のインジケータを含む、請求項１１〜１７のいずれか一項に記載の加湿装置。
【請求項１９】
前記第３のインジケータが第３の色を含む、請求項１８に記載の加湿装置。
【請求項２０】
前記供給導管、吸息導管、および呼息導管が、配送および／または保管のために、回路スリーブによってループ構成に保持される、請求項１１〜１９のいずれか一項に記載の加湿装置。
【請求項２１】
前記回路スリーブが、選択したコネクタを隠すように前記導管に位置決めされて、前記導管の順次的な接続を誘導するのを助ける、請求項２０に記載の加湿装置。
【請求項２２】
さらに、液体入口と、前記液体入口に結合された第１の端部、および液体源に接続されるように構成されたスパイクに結合された第２の端部を有する液体導管とを含む、請求項５に記載の加湿装置。
【請求項２３】
さらにワインダーを含み、前記液体導管は、前記液体入口から、前記ワインダーを周って、および前記ワインダーまで延在し、および前記スパイクは、配送および／または保管のために前記ワインダーに載置される、請求項２２に記載の加湿装置。
【請求項２４】
さらに、配送および／または保管のために前記入口ポートおよび出口ポートを覆うように構成されたポートキャップを含み、前記ポートキャップは、前記入口ポートおよび出口ポートまで延在する脚部を含む、請求項５〜２３のいずれか一項に記載の加湿装置。
【請求項２５】
さらに、操作者が前記チャンバを設置中により容易に保持することができるように構成されたグリップを含む、請求項５〜２４のいずれか一項に記載の加湿装置。
【請求項２６】
前記グリップが、前記チャンバの前記側壁に凹部を含む、請求項２５に記載の加湿装置。
【請求項２７】
前記アパーチャが前記入口ポートおよび出口ポートに位置決めされているため、前記アパーチャは後方に面し、および前記グリップは、前記チャンバの前側半分に配置されて、前記ヒーターベースに設置するための前記チャンバの向きを決定するのに役立っている、請求項２５または２６に記載の加湿装置。
【発明の詳細な説明】
【技術分野】
【０００１】
関連出願の相互参照
本出願は、２０１２年４月２７日出願の米国仮特許出願第６１／６３９，６３２号明細書、および２０１３年３月１４日出願の同第６１／７８５，７３３号明細書の優先権を主張し、それら各々の全体を、参照することにより本書に援用する。
【０００２】
本出願は、概して、使用者に供給されるガスを加湿する加湿システムに関し、より詳細には、組み立ておよび使用適性が改善された特徴を有する加湿システムに関する。
【背景技術】
【０００３】
多くのガス加湿システムは、呼吸治療、腹腔鏡検査などを含む様々な医療処置のために、加熱されかつ加湿されたガスを送達する。これらのシステムは、様々なセンサーを使用することによって、温度、湿度および流量を制御するように構成できる。
【０００４】
そのようなシステムの様々な構成要素はまた、システムの制御に役立つように、および／または所望の特性を有するガスの使用者への提供に役立つように設計された特徴を含み得る。そのようなガス加湿システムは、使用前に組み立てる必要がある多くの構成要素を含み得る。セットアッププロセスは、複雑で時間がかかるものであることがあり、および専門的な訓練を必要とする可能性がある。専門的な訓練は、新しい従業員または使用者毎に繰り返す必要があり得る。それゆえ、広範囲にわたる訓練を行わずに、直感的に組み立て可能でありかつ使用できるシステムが必要とされている。
【発明の概要】
【課題を解決するための手段】
【０００５】
使用者に加湿ガスを送達する加湿システムが、ヒーターベースと、入口、出口、および関連の液体導管を有する加湿チャンバと、供給導管、吸息導管、および任意選択的な呼息導管を含む呼吸回路とを含み得る。加湿システムは、セットアップを簡単にしかつセットアップ時間の節約に役立つようにするために、本明細書で説明されるような様々な特徴を含み得る。また、そのような特徴は、操作者にセットアッププロセスをより直感的に行わせるのに役立たせることができ、それにより、専門的な訓練の必要性を減らし、かつエラーが発生し得る回数を減らし得る。
【０００６】
一部の実施形態では、加湿チャンバは、入口ポートおよび出口ポートがポートキャップによって覆われた状態で梱包される。ポートキャップは、操作者に、セットアップ中にポートキャップを取り外して廃棄する必要があることを示すのに役立つように設計される。
一部の実施形態では、液体導管、またはフィードセット（ｆｅｅｄｓｅｔ）は、ポートキャップに入れられかつそれによって隠されるため、ポートキャップが取り外されるまで、フィードセットは液体源に接続できない。
【０００７】
一部の実施形態では、供給導管、吸息導管、および任意選択的な呼息導管は、一体形のアセンブリに結合されて、セットアップを支援する。導管は、例えば、メッシュシース、クリップ、または任意の他の適切な結合機構によって結合され得る。導管の１つ以上は、他の導管に取り外し可能に結合され得る。呼息導管は、ヒーターベース上のソケットに接続されるように構成された電気プラグを含み、導管内の加熱素子に電力を供給し得る。一部の実施形態では、導管の１つ以上は、統合センサーおよびアダプタケーブルを含んで、センサーをヒーターベースに接続し得る。
【０００８】
一部の実施形態では、加湿システムの様々な構成要素は色分けされ、かつ対応する構造を有して、セットアップ中に、どの構成要素を互いに接続する必要があるかを示し得る。
また、ヒーターベースおよび／または消耗品の梱包は、セットアップ手順を通して操作者を誘導するのを助ける図式的なまたは段階的な指示を含み得る。
【０００９】
本開示、および従来技術に勝って達成された利点を要約するために、いくつかの目的および利点が本明細書で説明される。当然ながら、任意の特定の実施形態に従って、必ずしも全てのそのような目的または利点を達成する必要があるわけではないことが理解される。それゆえ、例えば、本開示は、本明細書で教示または提案したような１つの利点または一群の利点を達成するまたは最適にするように供され得るかまたは実施され得るが、必ずしも本明細書で教示または提案したような他の目的または利点を達成する必要はないことを当業者は認識する。これらの実施形態は全て、本明細書の開示の範囲内にあるものする。これらのおよび他の実施形態は、添付の図面を参照する以下の詳細な説明から、当業者にはすぐに分かり、本開示は、任意の特定の開示の１つまたは複数の実施形態に限定されない。
【００１０】
本開示のこれらのおよび他の特徴、態様および利点を、以下の図面を参照して説明する。図面は説明のためのものであり、本開示の範囲を限定するものではない。
【図面の簡単な説明】
【００１１】
【図１】加湿システムの例示的な実施形態を示す。
【図２Ａ】ヒーターベースに設置された加湿チャンバの例示的な実施形態を示す。
【図２Ｂ】加湿チャンバの例示的な実施形態を示す。
【図３】ヒーターベースの例示的な実施形態を示す。
【図４Ａ】梱包されたときの加湿チャンバの例示的な実施形態を示す。
【図４Ｂ】梱包されたときの加湿チャンバの例示的な実施形態を示す。
【図４Ｃ】梱包されたときの加湿チャンバの例示的な実施形態を示す。
【図４Ｄ】梱包されたときの加湿チャンバの例示的な実施形態を示す。
【図４Ｅ】梱包されたときの加湿チャンバの例示的な実施形態を示す。
【図４Ｆ】梱包されたときの加湿チャンバの例示的な実施形態を示す。
【図４Ｇ】梱包されたときの加湿チャンバの例示的な実施形態を示す。
【図４Ｈ】梱包されたときの加湿チャンバの例示的な実施形態を示す。
【図４Ｉ】シースを含むスパイク（ｓｐｉｋｅ）の例示的な実施形態を示す。
【図４Ｊ】シースのない、図４Ｉに示すスパイクを示す。
【図５Ａ】センサーカートリッジモジュールおよび加湿チャンバの例示的な実施形態を示す。
【図５Ｂ】ヒーターベースに結合されたセンサーカートリッジモジュールの例示的な実施形態を示す。
【図５Ｃ】電気ケーブルによってヒーターベースに接続されたセンサーカートリッジモジュールの例示的な実施形態を示す。
【図６】加湿チャンバの例示的な実施形態を示す。
【図７Ａ】梱包されたときの呼吸導管の例示的な実施形態を示す。
【図７Ｂ】適切な接続を促す特徴を備える加湿チャンバの例示的な実施形態を示す。
【図８】図７Ｂに示す特徴に対応する特徴を有する導管の例示的な実施形態を示す。
【図９Ａ】一体形回路の例示的な実施形態を示す。
【図９Ｂ】一体形回路用の解放可能な接続システムの例示的な実施形態を示す。
【図１０】加湿システムのセットアップのための方法を示す。
【図１１】ヒーターベースおよび加湿チャンバの例示的な実施形態を示す。
【発明を実施するための形態】
【００１２】
いくつかの実施形態および例を以下で説明するが、本開示は、具体的に開示した実施形態および／またはそれらの使用例および明白な修正例および等価物を越えて広がることを当業者は認識している。それゆえ、本開示の範囲は、以下説明する任意の特定の実施形態に限定されるものではない。
【００１３】
加湿システム１００の例示的な実施形態は、例えば、図１に示すように、ヒーターベース１０２、加湿チャンバ１０４、および呼吸回路または呼吸回路アセンブリを含み得る。
一部の実施形態では、システム１００は、さらに、ガス供給装置１３０、例えば、人工呼吸器、または呼吸または医療処置での使用に好適な、他の好適な加圧ガス源を含む。ヒーターベース１０２は加熱板１０８（図３によく示す）を含み得る。さらに、ヒーターベース１０２は、１つ以上のプロセッサ１１４、および１つ以上のメモリまたは他の好適な記憶部品を含み得る。一部の実施形態では、ヒーターベース１０２はまた、操作者に情報を提供できるおよび／または操作者からの入力を受信できるようにするディスプレイを含む。
【００１４】
一部の構成では、ディスプレイは、操作者が所望の接続を、場合によっては所望の順序で行うのを容易にする図式を有し得る。例えば、ディスプレイは、異なる領域下での光（例えば、ＬＥＤ）による静止画像を有してもよく、順番に光ることによって、所望の接続順序を促す。一部の構成では、画像は、背面にポリエステルまたはポリカーボネートフィルムがバックスクリーン印刷されていて、このフィルムにＬＥＤが取り付けられているまたはそれに隣接して位置決めされている薄膜上に形成され得る。一部の構成では、光は、加湿チャンバをヒーターベースなどに挿入することによって、スイッチを操作したときに、順番を開始し得る。そのような構成は、操作者がヒーターベースの電源を入れて、適切な接続の順番に関するフィードバックを得る何らかの必要性を解決する。他の好適な配置も使用できる。
【００１５】
加湿チャンバ１０４は、一般的に、入口１１０および出口１１２を含み、およびヒーターベース１０２の加熱板１０８に設置されるように構成される。加湿チャンバ１０４は、さらに、ある量の液体、例えば水を保持するように構成される。チャンバ１０４は、液体導管またはフィードセット１１８の接続用の開口部またはポートを含み得る。図２Ａに示すように、液体導管１１８はチャンバ１０４から延在し得る。一部の構成では、液体導管１１８は水袋用のスパイク（ｓｐｉｋｅ）に接続される。一部の構成では、液体導管１１８は、チャンバ１０４と一体的に形成され得るかまたはそれに永久的に結合され得る。スパイクは、接着剤、音波溶接、縛り嵌め、または任意の他の好適な手段によって液体導管１１８に結合され得る。一部の実施形態では、スパイクは通気口を含む。スパイクが、例えばプラスチック製の折り畳み式袋に挿入される場合、通気口は塞がれる。しかしながら、スパイクがガラス瓶などの硬質容器に挿入される場合、通気口は開放され、かつ容器に空気が入ることができるようにし、容器内の負圧を減らすまたは容器内を負圧にするのを防止するのを助ける。通気口は、ガス透過性であるが液不透過性であるフィルターを含み得る。
【００１６】
使用時、液体導管１１８は、水袋、食塩水用の袋（ｓａｌｉｎｅ  ｂａｇ）などの液体源からチャンバ１０４まで、液体、例えば水を運ぶ。加熱板１０８がチャンバ１０４を加熱して、チャンバ１０４の内容物の少なくとも一部を蒸発させる。一部の実施形態では、加湿チャンバ１０４は、チャンバ１０４内の液体レベルが特定のレベルを超える可能性を低下させるのを助ける特徴を含み得る。例えば、図２Ｂ、図４Ａ、および図４Ｂに示すように、チャンバ１０４は、１つ以上のフロート１５０を含み得る。フロートは、チャンバ１０４の液体レベルと共に上昇したり下降したりする。液体レベルがあるレベルに達すると、フロート１５０は、液体導管１１８に接続されているポートを塞いでまたは閉鎖して、液体がチャンバ１０４にさらに入るのを阻止するまたは遅くする。他の同様の特徴も使用できる。好ましい実施形態では、複数のフロート１５０を使用し、各フロートは、液体がチャンバ１０４にさらに入るのを阻止するように適合されている。この目的のために、第２のフロートは、予備または安全機構を提供し、それにより、チャンバ１０４の過剰充填の可能性をさらに低下させる。図２Ｂは、主フロート２５０ａおよび副フロート２５０ｂを有するそのようなチャンバ１０４の例示的な実施形態を示す。
【００１７】
引き続き図１を参照して説明すると、呼吸回路アセンブリは、供給導管１２０、吸息導管１２２、および、一部の構成では、呼息導管１２４を含み得る。供給導管１２０のガス供給端部は、ガス供給装置１３０の出力部１３２に接続するように構成され、および供給導管１２０のチャンバ端部は、チャンバ１０４のチャンバ入口１１０に接続するように構成される。吸息導管１２２のチャンバ端部は、チャンバ１０４のチャンバ出口１１２に接続するように構成され、および吸息導管１２２の使用者端部は、例えばインターフェース１２６を介して使用者１２８に接続するように構成される。呼息導管１２４の使用者端部はインターフェース１２６に接続するように構成され、および呼息導管１２４のガス供給端部は、ガス供給装置１３０の戻り口１３４に接続するように構成される。吸息導管１１２および呼息導管１２４の使用者端部は、例えば、限定されるものではないがＹピース１２７を介してインターフェース１２６に接続できる。
【００１８】
使用時、ガスは、ガス供給装置１３０から供給導管１２０を通って、入口１１０を経由してチャンバ１０４まで流れる。ガスは、チャンバ１０４内で加湿されて、チャンバ１０４から出口１１２を通って出る。使用者は、吸息導管１２２を通って供給された加湿ガスを吸入し、かつ呼息導管１２４に呼気する。吸息導管１２２および／または呼息導管１２４は、加熱素子、例えば電熱線を含み、ガスを所望の温度に維持するのを助け、かつ導管に凝縮物が著しく形成される可能性を低下させ得る。
【００１９】
使用前、医療関係者などの操作者は、様々な構成要素を正しく接続してシステム１００をセットアップする必要がある。接続を行う必要がある様々な構成要素およびいくつもの接続部があるため、システム１００のセットアップは、適切に完成させるためには専門的な訓練を必要とする複雑なプロセスとし得る。加湿システム１００は、セットアッププロセスを単純化しかつ間違ったセットアップの可能性を低下させる、本明細書で説明されるような様々な特徴を含み得る。一部の実施形態では、いくつかの使用適性特徴は、好都合にも、ステップの総数およびセットアッププロセス中に必要とされる時間を減らすのに役立ち得る。本明細書で説明されるいくつかの特徴はまた、セットアップを使用者がより直感的に行うのに役立ち、それにより、専門的な研修の必要性を低下させ得る。
【００２０】
セットアップを開始するために、操作者は、リム縁部１０６（図３に示す）の下側で加湿チャンバ１０４をヒーターベース１０２上に摺動させることによって、ヒーターベース１０２上にチャンバ１０４を設置する。リム縁部は、チャンバ１０４を適所に保持するのに役立つ。加熱板１０８は、一部の構成ではバネ荷重式とすることができ、チャンバ１０４のベースは加熱板１０８に下向きの圧力をかけ、かつチャンバ１０４の突出部分１０５は、加熱板１０８とリム縁部１０６との間に捕捉され得る。好ましくは、リム縁部１０６の前方部分に沿った保護材１０７が押し下げられて、チャンバ１０４の下方部分が加熱板１０８にアクセスできるようにし、その後、チャンバ１０４が設置されたら、保護材１０７が、押し下げられていない位置まで戻る。一部の構成では、リム縁部１０６の最前方部分（例えば、チャンバ１０４を挿入するための開口部を画成するリム縁部１０６の部分）が、下方に傾斜する隆起または拡大開口部１０９を備えて構成される。開口部１０９は、好ましくは、押し下げられていない保護材１０７の上面よりも上方に上昇している下面を含む。そのように、開口部１０９は、操作者に視覚的な手がかりをもたらし、突出部分１０５を開口部に挿入できるようにする。チャンバ１０４を開口部にさらに挿入することによって、保護材１０７を押し下げて、チャンバをヒーターベースに完全に挿入させるのを容易にし、かつチャンバ１０４を適所に案内するのを助け得る。それゆえ、目で見える詳細部分（ｄｅｔａｉｌ）から、操作者は、チャンバ１０４がリム縁部１０６の下方で適所に摺動することを示す。これはまた、後でヒーターベース１０２からチャンバ１０４を取り出すために、保護材１０７が押し下げられ得ることを操作者に知らせるのを助け得る。
好ましくは、チャンバ１０４は、操作者がヒーターベース１０２からチャンバ１０４を取り出そうとするときに、保護材１０７を押し下げる詳細部分を有する。さらに、リム縁部１０６に平らでない上面を設けることによって、操作者がチャンバ１０４をリム縁部１０６の上に配置する必要があると考える可能性は低くなる。そのような配置は平らでないチャンバ１０４をもたらすため、熱伝導率が低くなる。
【００２１】
チャンバ１０４などの加湿チャンバは、全体的に滑らかな側面を備えて全体的に円形を有することが多く、その形状は、セットアップおよび設置の最中に操作者がチャンバ１０４を保持するのを困難にする。加湿器のセットアップでは、チャンバ１０４は把持されてから、上述したようにヒーターベース１０２の適所に摺動される。それゆえ、図４Ｄに示すように、チャンバ１０４は、好都合にも、設置中、操作者がチャンバ１０４をより容易に保持できるようにするグリップ１６８を含み得る。一部の実施形態では、例えば図４Ｄに示すように、グリップ１６８は、チャンバ１０４上の特定の位置に位置決めされ、チャンバ１０４をベース１０２上で摺動させるときに、操作者がチャンバ１０４を正しい向きに置くように案内するのに役立つ。一部の実施形態では、グリップ１６８はチャンバ１０４の周りに部分的にまたは完全に延在する。グリップ１６８は、例えば、チャンバ１０４の表面の窪みまたはキャビティ、竪型フィン、テクスチャー加工面、および／またはハンドルのうちの１つ以上を含み得る。図示の構成では、チャンバの側壁は、チャンバの方へ内側に延在する凹部を含む。凹部はリブなどを含み、使用者が凹部によってチャンバを保持する能力を高め得る。凹部は、前方に向く面に沿って位置決めし得る。一部の構成では、加湿器チャンバの上方に延在するポートは、後方に面する開口部を含み得る一方、凹部は、加湿器チャンバに凹んでおり、かつ前方に面している。前方に面するグリップは、チャンバを設置するための正しい向きで置くのを助ける。一部の構成では、凹部は、チャンバの全高に部分的にのみ延在する。一部の構成では、凹部は互いに対向して、使用者の指および親指によって把持力が加えられ得るようにする。
【００２２】
図４Ａを参照して説明すると、加湿チャンバ１０４は、ポートキャップ１６０で入口１１０および出口１１２が覆われた状態で梱包され得る。ポートキャップは、配送および保管の最中、チャンバ１０４を封止し得るまたは全体的に囲み得る。ポートキャップ１６０は脚部１６２を含み、これら脚部は、入口１１０および出口１１２に延在し、かつ配送のためにフロート１５０を適所に拘束し得る。一部の構成では、液体導管１１８は、チャンバ１０４に設けられたワインダー１６６の周りに巻き付けられ、かつそれに収容され得る。セットアップ中、加湿チャンバ１０４がヒーターベース１０２に設置された後、好ましくは液体導管１１８を巻き出して、スパイク１６４を介して液体源に接続する前に、ポートキャップ１６０を取り外すことができる。スパイク１６４を液体源に接続したら、液体はチャンバ１０４を満たし始める。しかしながら、ポートキャップ１６０を取り外す前に液体導管１１８を液体源に接続する場合、フロート１５０は依然として拘束されており、チャンバ１０４への液体の流れを遅くしたりまたは阻止したりするように機能できないため、チャンバ１０４が過剰充填される危険性がある。
【００２３】
一部の実施形態では、過剰充填の可能性を低下させるため、チャンバ１０４は、チャンバ１０４の入口ポート１１０および出口ポート１１２とポートキャップ１６０との間に液体導管１１８が捕捉された状態で梱包される。液体導管１１８は、さらに、ポートキャップ１６０が取り外されるまで操作者から幾分見えなくされ得る。しかしながら、ポートキャップ１６０の下側に液体導管１１８が存在することは、ポートキャップ１６０が適所にある状態で見ることができ、これにより、操作者に、ポートキャップ１６０を取り外して液体導管１１８にアクセスさせるようにすることが好ましい。さらに、ポートキャップ１６０の取り外しによって、液体導管１１８を巻き出すかまたは広げることが好ましい。この梱包配置はまた、ワインダー１６６が液体導管１１８を含む必要性、およびチャンバ１０４からワインダー１６６を除去し、かつワインダー１６６から液体導管１１８を巻き出すセットアップステップの必要性を低下させるかまたはなくす。一部の実施形態では、スパイク１６４および／または液体導管１１８は自由に浮いており、ワインダー１６６またはポートキャップ１６０によって束縛されていない。これは、液体導管１１８をセットアップ中に巻き出す必要があるかどうかについて操作者が混乱する可能性を低下させるのに役立ち得る。一部の配置では、スパイク１６４は、露出した状態で自由に垂れ下がっており、ポートキャップ１６０の取り外しをさらに促す。一部の構成では、スパイク１６４は、部分的に露出して、ポートキャップ１６０によって部分的に捕捉されており、それにより、ポートキャップ１６０の取り外しを促して、スパイク１６４にアクセスできるようにする。
【００２４】
追加的な特徴は、操作者がポートキャップを、使用中適所に留まるように意図されたシステムの操作部品と間違える可能性を低下させるのに役立ち得る。例えば、図４Ｂおよび図４Ｃに示すように、代替的なポートキャップ１７０は、両ポート双方の上部に広がる単一の平面と、ポートを取り囲む単純な側面と、任意選択的に、液体導管１１８とを含み得る。この設計は、ポートキャップ１７０に蓋の外観を与え、ポートキャップが使用前にチャンバ１０４から取り外されるようにし得る。また、ポートキャップ１７０は、平らな上面の外周の一部の周りにまたは全外周にリップ詳細部分を含み、操作者が取り外しのために把持できるようにし得る。平らな上面は、任意選択的な指示ラベル、または例えばゴミ箱の画像を有するラベル用の面を提供し、操作者に、ポートキャップ１７０が取り外されて廃棄されるべきであると考えられていることを示す。一部の構成では、ポートキャップは、ある材料で形成できるか、またはポートキャップを本能的に廃棄することを裏付ける彩色を有する。
【００２５】
図４Ｄを参照すると、ワインダー１６６と一緒に使用できるポートキャップ１７０の別の例示的な実施形態は、キャップ本体１７２と、フロート保持具１７４とを含み、フロート保持具は、タブまたはプルループ（ｐｕｌｌ  ｌｏｏｐ）１７６と、入口１１０および出口１１２に延在してフロート１５０を拘束する脚部１６２とを有する。キャップ本体１７２は、キャップ本体１７２内に入れられた導管を見せるように、少なくとも部分的に半透明または実質的に透明であるように形成できる。キャップ本体１７２は、矢印および／または他の可視的なまたは他のインジケータを含み、操作者に、ヒーターベース１０２へのチャンバ１０４の正しい挿入方向を指示し得る。一部の実施形態では、キャップ本体１７２は、チャンバのセットアップの指示を含むラベルを含み、正しいまたは所望の一連のセットアップステップに、セットアップ作業を実施する人が従う可能性を高め得る。一部の実施形態では、図４Ｅに示すように、フロート保持具１７４はキャップ本体１７２から分離され、かつキャップ本体１７２の前にチャンバ１０４から除去できる。図４Ｆに示すように、キャップ本体１７２を取り外すことによって、ワインダー１６６を露出させる。
あるいは、フロート保持具１７４は、キャップ本体１７２に一体に成形され得るかまたは結合され得るため、例えば、プルループ１７６を引くことによって、両構成要素は同時に除去される。両実施形態は、好都合にも、液体導管１１８が液体源に接続される前にワインダー１６６が露出されてフロート１５０が拘束されなくなると、フロート保持具１７４が確実に除去されるようにする。一部の実施形態では、ワインダー１６６は、クリップによって、またはチャンバポートに接続される、クリップで留められるもしくは他の方法で係合される他の特徴によって、チャンバ１０４に結合される。図４Ｆに示すように、液体導管１１８は、チャンバ１０４の液体入口１１７から、ワインダー１６６の周囲、通気口１６７を通ってワインダー１６６まで延在して、スパイク１６４に結合することができ、このスパイクは、図示の実施形態に示すようにワインダー１６６内に載置される。図示の実施形態では、キャップ本体１７２は、配送および／または保管のための適所にあるときに、液体導管１１８も覆うようなサイズにされかつそのような形状にされている。一部の構成では、ワインダー１６６は、スパイクを水平位置（例えば、配送位置）に、および非水平すなわち垂直位置（例えば、検査位置）に固定する特徴を含む。例えば、ワインダー１６６は、全体的に卵形を有し、かつスパイクを収容するおよび／またはスパイクを水平の配送位置に固定するように構成された長手方向の受け部１８６を、ワインダー１６６内に含み得る。ワインダー１６６はまた、スパイク１６４の把持部分１９０（図４Ｊに示す）を収容するように構成された全体的に環状の受け部１８８を含み得るため、スパイク１６４は、検査用のほぼ垂直の位置に配置され得る。液体導管１１８は、膠着などの接着剤または任意の他の好適な技術によって液体入口１１７に固定できる。チューブホルダ１１９は、液体導管１１８をワインダー１６６の一部分に、またはチャンバ１０４の上部に固定するのを助け、かつ液体導管１１８を液体入口１１７からワインダー１６６へ送るのを助け得る。一部の実施形態では、操作者は、ワインダー１６６からスパイク１６４を取り出し、かつワインダー１６６から液体導管１１８を巻き出して、スパイク１６４を液体源に接続できる。一部の実施形態では、操作者は、液体導管１１８の巻き出し後に、チャンバ１０４からワインダー１６６を除去し、かつワインダー１６６を廃棄できる。
【００２６】
図４Ｇおよび図４Ｈに液体導管１１８の梱包の追加的な実施形態を示す。図示の両実施形態では、液体導管１１８は、例えば、液体導管１１８をジグの周りに巻き付けることによって、ループ構成に巻き付けられる。一部の実施形態では、ラベル２１８は、巻き付け前に液体導管に取り付けられて、液体導管１１８をループ構成に固定するように使用される。図４Ｇの実施形態では、ループ状の液体導管１１８が、チャンバ１０４の上部に結合された、折り畳めるカード１７８内に配置される。カード１７８は、厚紙、プラスチック、可撓性材料、または任意の他の好適な材料で作製でき、および底部１７８ａは、接着剤を用いておよび／またはチャンバの入口ポートおよび出口ポートの周りに配置されるように構成された切り欠き部２８０によって、チャンバ１０４に固定できる。カード１７８の上部１７８ｂは、底部に折り重ね、かつチャンバの入口ポートおよび出口ポートの周りに配置されるように構成された切り欠き部および／またはポートキャップ１６０によって固定できる。一部の実施形態では、スパイク１６４は、スロットまたはクリップによって、上部と底部との間でカード１７８のベースに固定できる。カードの底部１７８ａはスリット２８２を含んで、カード１７８と液体入口１１７との間に延在する液体導管１１８を収容できる。一部の構成では、ループ状導管は、カード上に幅方向に配置され得る。図４Ｈに示す実施形態では、ループ状液体導管１１８は、チャンバ１０４の頂上に成形されたキャビティ１１１に配置され、かつチューブカバー１７９によって保護され、このチューブカバーはポートキャップ１６０を含み得る。チューブカバー１７９の底面は、スパイク１６４を固定する特徴を含み得る。一部の実施形態では、ブランド名の表示、指示、および／または他の情報を備えるラベルを、チューブカバー１７９、カード１７８（例えば、上部１７８ｂまたはカード１７８）に取り付けることができる。換言すると、一部の構成では、カード（例えば、カード１７８の上部１７８ｂ）およびチューブカバー１７９の１つ以上は、指示（例えば、開梱指示、セットアップ指示など）、ラベル、または警告用に使用し得る１つ以上の面を組み込み得る。一部の構成では、カード１７８は順次的な指示を含むため、セットアップ作業を実施する人が、正しいまたは所望の一連のセットアップステップに従う可能性を高め得る。例えば、カード１７８は、従うべき順次的なまたは少しずつずらしたステップを備え得る。一部の構成では、カード１７８または別の構成要素は、露出したまたはアクセス可能な構成要素を含むステップのみを説明できる。
【００２７】
図４Ｆおよび図４Ｉに示すように、スパイク１６４は、図４Ｊに示すように使用前に操作者が取り外すスパイクキャップまたはシース１６５を備えた状態で梱包され得る。シース１６５は、ワインダー１６６からスパイク１６４を取り出すおよび／またはスパイク１６４からシース１６５を取り外すのを容易にするタブまたは同様の特徴を含み得る。一部の構成では、キャップは、任意の他の部材に接続されず、操作者は、キャップを取り外す方法を知っている。ラベルはまた、液体導管１１８および液体源をセットアップする方法に関して操作者に指示するために使用できる。一般に、加湿システム１００は、加湿チャンバ１０４を通過するガスを加湿するために水を使用する。スパイクを別のタイプの液体、例えば食塩水ではなく、水袋に接続する必要があることを操作者に示すために、液体導管１１８および／またはチャンバ１０４は、例えば、「Ｈ２Ｏ」と読めるラベルを含み得る。好ましくは、ラベルを含む任意のそのような可視的なインジケータは、導管が外側に伸長されるときに、チャンバの本体よりもスパイクの近くに位置決めされる。液体導管１１８のラベルはまた、スパイクキャップによって隠されているときには操作者に明らかではない水用スパイク１６４に操作者が注意を向けるのを助け得る。チャンバ１０４はまた、適切な水位を示すラベルを含み得る。
【００２８】
一部の構成では、スパイクは、任意の好適な技術を使用してチューブに固定できる。例えば、一部の構成では、スパイクは、接着剤、音波溶接、縛り嵌めなどを使用してチューブに固定できる。その後、ラベルをチューブに取り付けることができる。一部の構成では、ラベルは、チューブを覆うように緩くループ状にされ、粘着性のある端部（例えば、露出した接着剤）を含み得る。一部の構成では、ラベルは、チューブの別の端部よりもスパイクの近くに位置決めできる。チューブは、ジグなどの周りに巻き付けることができ、かつラベルを使用してループ構成に固定できる（例えば、粘着性のある端部を使用して、ラベルの端部をラベルの別の部分に留める）。チューブを巻き付けると、端部は、好ましくは、チューブおよびスパイクをチャンバに接続するのに十分な弛みを備える。スパイクのない端部は、任意の好適な技術を使用してチャンバに固定できる。一部の構成では、スパイクのない端部は、水チャンバの水入口孔に挿入でき、かつ膠着などを用いて固定できる。チューブのループの端部は、チャンバの入口ポートおよび出口ポートの上側にまたはそれらの間に配置できる。スパイクは受け部に固定できる。一部の構成では、受け部は、チャンバの一部分に形成できるかまたは固定できる。一部の構成では、スパイクは、検査のためにチャンバから離れるように延在する点で、チャンバに固定できる。検査は、組み立てられたチャンバで実施できる。検査後、スパイクはチャンバから除去でき、およびスパイクおよびチューブは、上述したものを含む任意の好適な方法で配送用に固定できる。
【００２９】
加湿システム１００は、加湿チャンバ１０４にまたはその付近に再使用可能な温度および／または流れプローブを含み得る。例えば、流れセンサーをチャンバ入口１１０に位置決めして、ガス供給装置１３０からチャンバ１０４に入るガスの流量を感知する。ガス供給装置１３０からチャンバ１０４に入るガスの温度を感知するために、温度センサーがチャンバ入口１１０に位置決めされ得る。チャンバ１０４を出る加湿ガスの温度を感知するために、温度センサーはチャンバ出口１１２に位置決めされ得る。チャンバ１０４を出て使用者に送達されるガスの流量を感知するために、流れセンサーが同様にまたはその代わりに、チャンバ出口１１２に位置決めされ得る。
【００３０】
一部の実施形態では、図５Ｂに示すように、再使用可能な温度および／または流れセンサープローブ２０６は、センサーカートリッジモジュール２００に組み込まれ得る。図５Ｃは、電気ケーブルによってヒーターベースに接続されたセンサーカートリッジモジュール２００を示す。しかしながら、図５Ｂのセンサーカートリッジモジュール２００は、ヒーターベース１０２にスパイン（ｓｐｉｎｅ）２１０を介して機械的におよび電気的に接続され、それゆえ、センサーに電力を伝送できる一方、例えば、限定されるものではないが、センサー用の取り付け位置も提供できる。一部の構成では、スパイン２１０およびポートキャップは、インターフェース構成を有し、チャンバをヒーターベースに取り付ける最中のスパインの方へ向かう位置でのポートキャップを備えるチャンバの運動によって、スパインがチャンバからポートキャップを上昇させるようにし得る。そのような構成は、操作者がチャンバからポートキャップを取り外す可能性を高める。他の好適な構成も使用できる。
【００３１】
センサーカートリッジモジュール２００はまた、センサーとヒーターベース１０２中のプロセッサ１１４との間でデータを伝送できるようにする。例えば図６に示すように、チャンバの入口１１０および出口１１２は、それらを通るアパーチャ１４０、１４２を有し得る。温度および／または流れプローブ２０４、２０６を収容するようなサイズおよび形状にされたプローブの薄膜またはグロメット１４４は、アパーチャ１４０、１４２内に位置決めされ、かつそれらを永久的に封止できる。図５Ｂの構成では、スパインに取り付けられたプローブは各アパーチャと適切に整列しないため、操作者は、チャンバのベースをリム縁部１０６の下方に位置決めするように促される。
【００３２】
チャンバ１０４をヒーターベース１０２へ正しく挿入することにより、チャンバの入口１１０および出口１１２のアパーチャ１４０、１４２内に、自動的にセンサープローブ２０６を位置決めできる。これは、好都合にも、ヒーターベース１０２に手動で挿入して電気的に接続する必要がある別個の再使用可能なセンサーと比較して、セットアップを容易にでき、かつ不適切な電気的接続、不適切な空気圧式シールおよび／または組み立ての可能性を低下させ得る。プローブの薄膜１４４は、プローブが、チャンバ１０４に対して出入りするガスと直接接触しないようにする。それゆえ、プローブ２０６の洗浄および保管の必要なく、ならびに使用毎にワイヤを分離および再接続する必要なく、プローブは再使用できる。
【００３３】
ヒーターベース１０２上へのチャンバ１０４の設置およびセンサーカートリッジモジュール２００との適切な接続を通して操作者を誘導するのを助けるために、チャンバ１０４およびセンサーカートリッジモジュール２００は、対応する雄型接続および雌型接続などの引き込み特徴を含み得る。例えば、ベース１０２およびカートリッジモジュール２００の１つ以上は、チャンバ１０４の構造２０１とかみ合う構造を含み得る。図４Ｆに示すチャンバ１０４の構成では、構造２０１は凹部部分である。それゆえ、チャンバ１０４の鉛直高さは、取り付け時は、ヒーターベース１０２のハウジングに最も近い部分において短いとし得る一方、チャンバ１０４の鉛直高さは、カートリッジモジュール２００から離れて位置決めされた部分で高いとし得る。そのような構成は、チャンバがベース１０２に後方に挿入され、センサーへの損傷を生じる可能性を低下させ得る。それゆえ、チャンバ１０４をベース１０２に結合する可能性を著しく高める協働構成が、チャンバ１０４の正しい回転方向の向きにおいてのみ達成される。さらに、協働構造は、チャンバ１０４の適切な回転方向の向きの視覚的合図をもたらし得る。協働構造は、ベースでは雄型およびチャンバでは雌型、ベースでは雌型およびチャンバでは雄型、またはベースおよびチャンバでの雄型部分および雌型部分の任意の組み合わせとし得る。
【００３４】
別の例として、センサーカートリッジモジュール２００は、チャンバ１０４の雌型凹部２０４に摺動するように構成された中心雄型突出部２０２を含み得る。あるいは、チャンバ１０４は、センサーカートリッジモジュール２００の中心に摺動するように構成された雄型突出部を含み得る。好ましくは、雌型凹部２０４は、雄型突出部２０２に対して可能であるチャンバの向きが１つのみであるように構成される。任意の他の構成またはかみ合いアセンブリを使用できる。一部の構成では、チャンバ１０４は、例えば、限定されるものではないが、側面に面取りしたまたは角度をつけた縁部または突起２０５を含み得る。
これらの突起２０５は、ベース１０２の構造と協働するか、またはカートリッジモジュール２００上にあるとし得る。協働によって、好ましくは、チャンバ１０４を、ベース１０２に対して完全に載置された位置に引くまたは促すのを助ける。それゆえ、突起２０５および協働構造は、チャンバに対してセンサープローブ２０６を正しい向きに置き得るおよび適切に位置決めし得る構造の別の例を提供する。ヒーターベースに対してチャンバを正しい向きに置くこれらの手段はまた、好都合にも、チャンバポート内へのセンサープローブ２０６の適切な位置決めを支援する。好都合にも、チャンバ１０４がセンサーカートリッジモジュール２００にドッキングすると、センサープローブは、チャンバポートに適切な距離または深さまで自動的に挿入され得る。換言すると、プローブ２０６がチャンバ１０４のポートに完全に挿入されない危険性は低下され得るかまたはなくされ得る。好ましくは、センサーカートリッジモジュール２００とチャンバ１０４との間の接続は、ほぼ水平である（例えば、加熱板の上面に平行している）。
【００３５】
一部の構成では、チャンバは、スパインからの突起またはヒーターベースの他の部分を収容する凹部を有し得る。そのような構成は、チャンバを所望の回転方向の向きでヒーターベース上の適所に案内するのを助け得る。一部の構成では、チャンバは、適所に平行移動されるのではなく、ヒーターベース上で適所まで回転され得る。例えば、スロットは、スロットまで垂直方向に下方に摺動できるポストを備え、チャンバの回転によって、ポストをリム縁部１０６の下方に位置決めするようにし得る。一部の構成では、チャンバがヒーターベースに取り付けられる前に、センサーカートリッジモジュール２００がチャンバに取り付けられる場合、チャンバの回転は、チャンバに取り付けられた構成要素（例えば、センサー）とヒーターベースとの間に電気的な接続を確立し得る。チャンバの回転はまた、水平の接続方向を規定する。他の構成も可能である。
【００３６】
一部の加湿システム１００はまた、呼吸回路の様々な位置に温度および／または流量センサーを含み、ガスがシステム１００を通って使用者１２８までおよび使用者から移動するときのガスの状態を監視する。いくつかのそのようなシステムは、吸息導管１２２の使用者端部にまたはその付近に再使用可能な温度センサーを含み、使用者１２８に到達するガスが、確実に適切な温度であるようにする。回路の様々な導管が一般に廃棄可能であるため、再使用可能な温度センサーは、セットアップ中に吸息導管１２２に別々に結合する必要があり、かつ電力およびデータ伝送のためにヒーターベース１０２にさらに接続する必要がある。使用者は、センサーおよび／またはセンサーケーブルを完全に接続するのを忘れる可能性があるか、またはセンサーを吸息導管１２２に不注意で完全に挿入し損なう可能性があり、これによりセンサーデータを歪め得る。本開示の一部の実施形態によれば、使い捨ての使用者端部の温度センサーおよび関連のセンサーケーブルは、吸息導管１２２に組み込まれ得る。これは、好都合にも、セットアップ中に別個のセンサーおよびセンサーワイヤを接続するステップ、ならびに再使用可能なセンサーを洗浄して保管するのに必要なステップおよび時間をなくし得る。
【００３７】
一部の実施形態では、センサーカートリッジモジュール２００は、ヒーターベース１０２と、吸息導管１２２の使用者端部温度センサーと、吸息導管１２２のヒーター線との間の電力およびデータ伝送を可能にし得る。吸息導管１２２のチャンバ端部コネクタは、センサーカートリッジモジュール２００上の対応する接続と結合するための電気的な接続を含み得る。これは、使用者端部温度センサーとヒーターベース１０２との間に電気的な接続をもたらす再使用可能なセンサーケーブルを使用する、および吸息導管１２２のヒーター線とヒーターベース１０２との間に電気的な接続をもたらす再使用可能なヒーター線アダプタケーブルを使用する、単純な代替例を提供する。使用者端部の温度センサーおよびヒーター線は、吸息導管１２２に組み込まれるまたはその外部に平行して延びるワイヤを介して、吸息導管１２２のチャンバ端部コネクタの電気的な接続に結合され得る。
【００３８】
呼息導管１２４が加熱素子、例えばヒーター線を含む場合、加熱素子は、一般に、加熱素子をヒーターベース１０２に接続する電気ケーブルを介して電力供給される。セットアップの単純化を助けるために、加熱素子の電気ケーブルの両端部は、同じ設計のプラグを有し得る。対応するソケットがヒーターベース１０２および呼息導管１２４のガス供給端部コネクタに配置され得る。加熱素子の電気ケーブルのいずれかの端部は、呼息導管１２４のガス供給端部コネクタソケットまたはヒーターベース１０２のソケットのいずれかに結合できる。それゆえ、操作者は、加熱素子の電気ケーブルの正しい向きを決定するために過度の時間を費やす必要がない。
【００３９】
本明細書で説明したように、呼吸回路は、チャンバ１０４、使用者１２８、および／またはガス供給装置１３０への複数の接続を必要とする複数の導管を含み得る。導管の長さは、セットアップ中に導管を取扱いかつ制御するのを困難にし、導管を偶然地面に落として汚染させ得る危険性を高め得る。梱包およびセットアップからの取り出しの最中の取扱いおよび制御を高めるために、図７Ａに示すように、回路は、回路スリーブ２６０によってループ構成に梱包されて、それと一緒に保持され得る。一部の実施形態では、スリーブ付導管は、保護用プラスチック袋などに梱包され得る。一部の実施形態では、回路スリーブ２６０は、厚紙または薄いプラスチックシートで作製されているが、他の材料も可能である。回路スリーブ２６０は、導管の周りでループ状となるかまたはそこに巻き付けられ、かつ例えば、ステープル、テープ、および／または接着剤、例えば、膠着によって一緒に閉鎖または保持され得る。一部の実施形態では、スリーブ２６０の両端部は、インターロック特徴、例えば、インターロッキングスリットまたはタブおよび対応するスロットを有して、導管の周りでスリーブ２６０を閉鎖する。導管はまた、テープ、ゴムバンド、ストラップなどによってループ構成で保持され得る。
【００４０】
ループ構成は、好都合にも、操作者が導管を、例えば前腕、ヒーターベース、または他の物体にかけて、他のセットアップ作業のために操作者の手を完全に自由にできるようにし得る。一部の実施形態では、汚染の危険性を高め得る他の病院の壁面に導管を配置することの代替例として、回路スリーブ２６０は、ループ状導管をフックに、例えば水袋または点滴袋（Ｉ．Ｖ．  ｂａｇ）をかけるのに使用されるフックにかけるために使用され得る孔２６２を含む。回路スリーブ２６０は導管上に位置決めされて、選択した導管コネクタを隠すことができ、かつ見える導管コネクタに操作者の注意を向けさせるのを助け、この見える導管コネクタは、セットアッププロセス中に最初に接続される必要のあるコネクタとし得る。操作者が、回路スリーブ２６０を除去して残りのコネクタを露出させる前に、見える導管コネクタによる適切な接続を行う場合、操作者が行うことができる接続数は削減され、それにより、接続をより容易にし、かつセットアップを正しく完了させる可能性が高まる。一部の実施形態では、回路スリーブ２６０は、文書および／または図でセットアップ指示を含み、正しいセットアップを達成するための好ましいセットアップ順序を指図するのに役立ち得る。回路スリーブ２６０はまた、導管に位置決めされて、いずれの鋭いエッジまたは角（例えば、コネクタの複数の部分）も被覆および／または隔離し、配送中などに、例えば、他の回路構成要素、チャンバ、および／または梱包材料を損傷させる可能性を低下させるのに役立ち得る。
【００４１】
セットアップ中に接続を間違える可能性を低下させるのを助けるために、導管コネクタ、チャンバの入口１１０および出口１１２、ガス供給出力部１３２および入力部１３４、インターフェース１２８、および／またはＹピース１２７は、間違った接続が行われるのを防止するのを助けるために、様々な直径を有し得る。一部の実施形態では、接続の一部または全ては、詳細部分、例えばリブ詳細部分を含み、この詳細部分によって、適切な構成要素を接続できるようにするが、不適切な接続を阻止し得る。例えば、図７Ｂに示すように、チャンバ出口１１２または吸息導管ポートは、ポート１１２の周囲を囲むリブ詳細部分２５０を含み得る。図８に示すように、吸息導管のチャンバコネクタは、チャンバ出口ポートのリブ詳細部分２５０と係合するように構成された対応するリブ詳細部分２５４を含み得る。チャンバ入口または供給導管ポートは、同様に、周囲リブ詳細部分２５２を含み、供給導管のチャンバコネクタ上の対応するリブ詳細部分２５６に係合し得る。他の構成要素、例えば吸息チューブの使用者端部コネクタ、呼息チューブの使用者端部コネクタ、呼息チューブのガス供給端部コネクタ、および／または供給導管のガス供給端部コネクタは、外側に延在するリブ詳細部分を含み得る。一部の構成では、異なる直径を使用して、間違った導管を間違ったポートに物理的に接続するのを、不可能ではないにしても困難にし得る。さらに、上述したように、各ホースの各端部を、一意の構成を有するように形成することが可能であり、所望の接続を補強するのを助ける。他の構成も可能である。
【００４２】
一部の実施形態では、様々な構成要素は、セットアッププロセスの初めから終りまで操作者を案内するのに役立たせ、かつ間違った接続の可能性を低下させるのに役立たせるために、色分けされ得る。例えば、供給導管１２０のチャンバ端部コネクタとチャンバ１０４の入口１１０ポートは、同様に第１の色、例えば緑色に色付けられ、操作者に、それら２つの構成要素は接続を意図したものであることを示し得る。同様に、吸息導管のチャンバ端部コネクタとチャンバ出口ポートは、第２の色、例えば青色に色合わせされ得る。デュアル−リム（ｌｉｍｂ）回路では、インターフェース１２６および／またはＹピース１２７は、第３の色、例えば灰色に色合わせされ得る。単一−リム回路では、インターフェースおよび吸息導管の患者端部コネクタは、第４の色、例えば青色に色合わせされ得る。
センサーカートリッジモジュール２００の温度および流れプローブ２０６は、プローブ薄膜１４４と、例えば青緑色に色合わせされ得る。呼息導管の加熱素子用のアダプタケーブルおよびプラグは、呼息導管のガス供給端部コネクタおよびヒーターベース１０２のソケットと、例えば、黄色に色合わせされ得る。セットアップ中に廃棄されるよう意図されている構成要素、例えば、ポートキャップ１６０、１７０、ワインダー１６６、Ｙピースキャップ、および／または水用スパイク１６４用のキャップは、例えば、半透明の黄色またはオレンジ色の同様の色が付けられ得る。好ましくは、水用スパイク１６４のキャップは、透明、半透明、またはスロット、間隙、孔などを備えて他の方法で構成されたものであり、操作者に、スパイクをキャップ内に位置決めすることを示す。供給導管のガス供給端部コネクタおよび呼息導管のガス供給端部コネクタは、例えば、ピンク色に色分けされる。一部の実施形態では、導管自体を色によって区別できる。例えば、供給導管１２０は緑色とし、吸息導管１２２は青色とし、および呼息導管１２４は白色とし得る。一部の実施形態では、色は、色認識が少ない（赤緑色覚異常）操作者が、それでも異なる構成要素を区別できるように、選択される。一部の配置では、接続順序が優先される場合、色分けすることによって、色の違うものを取り混ぜて接続するのを避けるようにする（例えば、限定されるものではないが、第１の接続に赤色、第２の接続にオレンジ色、第３の接続に黄色、第４の接続に緑色、および第５の接続に青色など）。それゆえ、パターンを使用して、適切な進行ならびに適切な接続を促し得る。そのような構成では、ＬＥＤ、光または光に色フィルターを使用して、電気ディスプレイ上に接続の色を示し得るか、または色は、単にディスプレイスクリーン上に示され得る。当然ながら、他の構成および色彩パレットも可能である。一部の実施形態では、取扱説明および／またはエラーは、色によって異なる成要素を参照し得る。
【００４３】
様々な構成要素の色合わせに加えてまたはその代わりに、構成要素は、一緒に接続されることを意図した部品を示す、対応するシンボルおよび／または文字列を含み得る。一部の構成では、例として、第１の接続は、「１」または「Ａ」が付され、第２の接続は「２」または「Ｂ」が付され得る。一部の実施形態では、導管の１つ以上が、使用時に導管を流れるガスの適切な方向を示すラベルを含み得る。例えば、供給導管１２０は、ガス供給装置１３０の端部からチャンバ１０４の端部へ向く１つ以上の矢印、および、任意選択的に、「ＴＯ  ＨＵＭＩＤＩＦＩＥＲ」と同様の文字列を含み得る。同様に、吸息導管１２２は、チャンバ端部から使用者端部へ向く矢印および任意選択的な文字列（例えば、「ＴＯ  ＰＡＴＩＥＮＴ」）を含むことができ、および呼息導管１２４は、使用者端部からガス供給端部へ向く矢印および任意選択的な文字列（例えば、「ＦＲＯＭ  ＰＡＴＩＥＮＴ」）を含むことができる。形状、色、サイズ、および／またはシンボルの任意の好適な組み合わせまたは選択を使用して、使用者が所望の接続を行うこと、および／または所望の順序で所望の接続を行うことを助け得る。さらに、一部の実施形態では、異なる構成要素のコネクタは、互いに接続できないように構成し得る。例えば、限定されるものではないが、吸息導管は、加湿器の出口とのみつながるコネクタを有し得る。そのような実施形態では、構成要素を間違って接続することは、不可能ではないにしても非常に困難であるため、コネクタは、構成要素を不適切に接続する可能性を低下させる。
【００４４】
一部の実施形態では、呼吸回路のセットアップをさらに単純化するために、例えば図９Ａに示すように、供給導管１２０、吸息導管１２２、および、任意選択的に、呼息導管１２４が一体形回路に結合され得る。一部の実施形態では、吸息導管１２２および呼息導管１２４の使用者端部はＹピース１２７に結合され、このＹピースは、使用時、インターフェース１２６に結合され得る。Ｙピース１２７は、使い捨てキャップ１８０が使用者端部を覆った状態で梱包されて、セットアップ中の導管および接続部の汚染を阻止するのに役立ち得る。温度および流れセンサーおよび加熱素子用の電気コネクタおよびケーブルも一体形回路に組み込まれ得る。一部の実施形態では、チャンバ１０４も、一体形回路と予め結合されて設けられ得る。
【００４５】
導管は、例えば、導管の少なくとも一部分を囲むメッシュタイプの包装材料またはシースによって、接合され得るまたは結合され得る。一部の構成では、複数のルーメン構造を形成するために接合される導管の複数の部分は、メッシュタイプの包装材料、シース、ベルト、コネクタ、クリップなどを含むがこれらに限定されない別個の接続手段と接合され得る。一部の実施形態では、供給導管１２０および吸息導管１２２は、個々のクリップを用いて呼息導管１２４に取り外し可能に結合され得る。これは、好都合にも、必要のない時には、呼息導管１２４を供給導管１２０および吸息導管１２２から引き出し、かつ回路から除去することができるようにする。
【００４６】
一部の実施形態では、導管の２つ以上は、解放可能に一緒に接続されるような構造にされる。一部の実施形態では、導管の全てが、解放可能に一緒に接続されるような構造にされる。第１の導管（例えば、吸息導管）は、フック材料またはループ材料のうちの一方の第１の部分を含み、および第２の導管（例えば、呼息導管）は、フック材料またはループ材料のうちの他方の第２の部分を含み得る。第１および第２の部分は、フックアンドループすなわち面ファスナー構成で解放可能に一緒に接続されるように構成し得る。それに加えてまたはその代わりに、他の解放可能な接続システム、例えば一連の磁石などを使用することができ、それにより、例えば、限定されるものではないが、２つの部分は、異極性の磁石を含む。別の構成では、吸息導管の外壁および呼息導管の外壁は波形にされて、波の山と谷はマッシュルーム形状であるとし得る。そのような構成では、例えば、限定されるものではないが、図９Ｂに示すように、一方の導管の山は、他方の導管の谷に解放可能にスナップ嵌めするように構成されている。そのような構成では、導管は、互いに直接接続され得る。山および谷のサイズおよび形状は、両導管で同じとし得るか、または、例えば、限定されるものではないが、２つの呼息導管が一緒に接続される可能性を低下させるまたはなくすように相補的とし得る。
【００４７】
一体形回路は、好都合にも、セットアップ中に必要とされる接続の回数を減らし、および間違った組み立てを行う可能性を低下させる。さらに、伝統的なシステムのセットアップ中、様々な構成要素は、テーブルまたはベッドに配置されて、仕分けおよび識別できるようにし得る。構成要素は、置き間違えられるかまたは床に落ちることがあり、それにより、損傷および／または汚染される危険性がある。一体形回路は、好都合にも、これらの問題を減らすのに役立つ。一体型の電気コネクタおよびケーブルを備える一体形回路はまた、セットアップ中に様々な電気的な接続を行うことを可能にし、接続されるべき構成要素は、互いにごく接近して位置決めされる。一部の実施形態では、呼息導管の加熱素子コネクタプラグ１８２は、ガス供給装置１３０のコネクタにではなく、呼息導管１２４の長さ部分に沿って配置され得る。プラグ１８２は、センサーカートリッジモジュール２００上のソケット、またはヒーターベース１０２上のどこかの、例えば、ヒーターベース１０２の前側のソケットに接続されるように位置決めされかつ構成され、ソケットの可視性およびそこへのアクセス性を高め得る。そのような実施形態では、呼息導管１２４および／またはチャンバ１０４がヒーターベース１０２に接続されるとき、プラグ１８２は、センサーカートリッジモジュール２００に自動的に接続され得る。
【００４８】
様々な特徴が、加湿システム１００の人間工学を改善するのを助け得る。例えば、呼息導管のガス供給端部コネクタのソケットが、導管の端部によって規定された平面から、例えば、約４５°の角度に向けられ得る。この角度は、水平または垂直に向けられたガス供給装置１３０のポートのいずれかに呼息導管１２４が接続されるとき、ソケットの可視性を高め得る。この角度はまた、ソケットが他の構成要素または機器によって妨害され、セットアップを行うのをより困難にする可能性を低下させるのを助け得る。ヒーターベース１０２のソケットはヒーターベース１０２の前面に配置されて、ソケットを例えばヒーターベース１０２の側面またはどこか他の場所に配置する場合と比較して、可視性を高め、かつアクセスを容易にし得る。
【００４９】
一部の実施形態では、呼息導管１２４のガス供給装置１３０の端部コネクタおよび／または供給導管１２０のガス供給装置１３０の端部コネクタは、Ｌ字形状を有し得る。例えば、コネクタの角度は、約１２０°とし得る。Ｌ字形状は、好都合にも、操作者が、ガス供給装置１３０へのおよびそこからの呼息導管１２４および／または供給導管１２０の向きを決定できるようにするため、導管は、他のシステムの構成要素、例えばヒーターベース１０２のディスプレイを妨害しない。コネクタのうちのいずれかまたは全て、例えば呼息導管１２４および供給導管１２０のガス供給装置１３０の端部コネクタおよび吸息導管１２２および呼息導管１２４の使用者端部コネクタの１つ以上は、グリップ詳細部分を含み、操作者が、より簡単にコネクタを把持できるようにし、かつ医療用テーパーコネクタを挿入および除去するためのねじる動きを実施できるようにし得る。グリップ詳細部分は、手術用手袋を装着している操作者に特に有益とし得る。
【００５０】
一部の実施形態では、例えば図１１に示すように、ヒーターベースディスプレイ１０３は、スパイン２１０の上面に配置されて、簡単に見えるようにし得る。図示の実施形態では、スパイン２１０の上面、それゆえディスプレイ１０３は、ある角度で方向付けられる。特に、例えば、ヒーターベース１０２が操作者の水平の視線より下方に位置決めされている場合、角度が付けられた向きは、好都合にも、操作者がディスプレイ１０３を見る状態を改善し得るか、または見やすくし得る。一部の実施形態では、上面および／またはディスプレイ１０３は、垂直から約２２°の角度に向けられ得るが、他の角度も可能である。一部の実施形態では、供給導管および吸息導管のチャンバ端部コネクタの一方または双方が、角度の付けられたまたはＬ字の形状を有し得る。例えば、図１１の実施形態では、供給導管のチャンバ端部コネクタ２５７がＬ字形状を有するため、ヒーターベース１０２から角度が付けられ得る。角度が付けられたまたはＬ字の構成は、好都合にも、コネクタおよび／または導管が実質的にディスプレイ１０３を見えなくすることを阻止または防止し、ディスプレイの可視性を高める働きをし得る。一部の実施形態では、供給導管および吸息導管のチャンバ端部コネクタの一方または双方は、約１１２°の角度を有するため、コネクタは、ポートに結合されているときには、チャンバポートから約２２°の角度で、水平位置よりも高く延在し得るが、他の角度も可能である。一部の実施形態では、スパイン２１０、ディスプレイ１０３、および／または一方または双方のチャンバ端部コネクタは、１つまたは複数のコネクタがディスプレイ１０３および／またはスパイン２１０の上面の底縁よりも下方にあるように、構成できる、例えば、１つまたは複数のコネクタは、ディスプレイの平面と垂直なディスプレイ１０３の底縁から延びる線よりも下方におよび／または上面の平面と垂直なスパイン２１０の上面の底縁から延びる線よりも下方に延在する。
【００５１】
追加的な特徴は、操作者のセットアッププロセス全体を支援し得る。例えば、システム１００の消耗部品の梱包は、セットアップ手順および／または段階的な指示を示す概略的な図を含み得る。図１０は、加湿システム１００セットアップするための順次的な方法を示す。この方法は、以下のうちのいくつかまたは全てを含み得る：ヒーターベース１０２上にチャンバ１０４を設置すること、１つまたは複数のポートキャップ１６０、１７０を取り外すこと、ワインダー１６６からスパイク１６４を除去すること、液体導管１１８を巻き出して、チャンバ１０４からワインダー１６６を除去すること、スパイク１６４を液体源に結合すること、供給導管１２０をチャンバ入口１１０に結合すること、供給導管１２０をガス供給装置１３０に結合すること、吸息導管１２２をチャンバ出口１１２に結合すること、および吸息導管１２２をＹピース１２７またはインターフェース１２６に結合すること。この方法は、さらに、呼息導管１２４をインターフェース１２６またはＹピース１２７およびガス供給装置１３０と結合することを含む。
【００５２】
本開示を、いくつかの実施形態および例との関連で説明したが、当業者には、本開示は、具体的に開示した実施形態を越えて、他の代替的な実施形態および／またはそれらの使用例および明白な修正例および等価物に広がることが理解される。上記の説明では「使用者」について述べるが、最終使用者は患者とし得ること、および本明細書で説明される装置は、例えば、限定されるものではないが、臨床関連またはヘルスケア関連の施設において看護師、医師または他の医療関係者によって、ならびに自宅使用においては使用者／患者によって組み立てられ得ることに留意されたい。さらに、本開示の実施形態のいくつかの変形例を示し、かつ詳細に説明したが、本開示の範囲内にある他の修正例は、当業者に容易に明らかである。実施形態の具体的な特徴および態様の様々な組み合わせまたはサブコンビネーションをなし得ること、および依然として本開示の範囲内にあることも考えられる。開示の実施形態の様々な特徴および態様は、本開示の実施形態の様々なモードをなすために、互いに組み合わせるまたは置き換えることができることを理解されたい。さらに、本明細書で提供した様々な構成要素の寸法は例であり、および他の寸法も使用し得る。それゆえ、本明細書の開示の範囲は、上述の特定の実施形態によって限定されるものではない。
【図１】
2020182864.tif 000003
【図２Ａ】
2020182864.tif 000004
【図２Ｂ】
2020182864.tif 000005
【図３】
2020182864.tif 000006
【図４Ａ】
2020182864.tif 000007
【図４Ｂ】
2020182864.tif 000008
【図４Ｃ】
2020182864.tif 000009
【図４Ｄ】
2020182864.tif 000010
【図４Ｅ】
2020182864.tif 000011
【図４Ｆ】
2020182864.tif 000012
【図４Ｇ】
2020182864.tif 000013
【図４Ｈ】
2020182864.tif 000014
【図４Ｉ】
2020182864.tif 000015
【図４Ｊ】
2020182864.tif 000016
【図５Ａ】
2020182864.tif 000017
【図５Ｂ】
2020182864.tif 000018
【図５Ｃ】
2020182864.tif 000019
【図６】
2020182864.tif 000020
【図７Ａ】
2020182864.tif 000021
【図７Ｂ】
2020182864.tif 000022
【図８】
2020182864.tif 000023
【図９Ａ】
2020182864.tif 000024
【図９Ｂ】
2020182864.tif 000025
【図１０】
2020182864.tif 000026
【図１１】
2020182864.tif 000027
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
第１および第２のセンサーを含むヒーターベースであって、前記第１および第２のセンサーは、加熱板よりも垂直方向に高い位置に位置決めされ、前記加熱板は、加湿チャンバを支持するように構成されている、ヒーターベースと；
前記液体入口に結合された第１の端部、および液体源に接続されるように構成されたスパイクに結合された第２の端部を有する液体導管と
を含む加湿装置であって、
前記加湿チャンバは、ある量の液体を保持するように構成され、かつ：
少なくとも１つの側壁；
前記少なくとも１つの側壁に接続された上壁；
前記少なくとも１つの側壁および前記上壁によって少なくとも部分的に画成されているキャビティ；
前記キャビティと流体連通している液体入口；
前記上壁を通って延在しかつ前記キャビティへの通路を画成する入口ポートであって、前記入口ポートは、前記第１のセンサーを受け入れるように構成されたアパーチャを有していて、前記入口ポートの少なくとも一部は、前記入口ポートに結合されるように構成された供給導管の第１の端部にあるコネクタのインジケータと協働するように構成された第１のインジケータを含み、前記供給導管の第２の端部は、ガス供給装置と結合するように構成されている、入口ポート；
前記上壁を通って延在しかつ前記キャビティからの通路を画成する出口ポートであって、前記出口ポートは、前記第２のセンサーを受け入れるように構成されたアパーチャを有していて、前記出口ポートの少なくとも一部は、前記出口ポートに結合されるように構成された吸息導管の第１の端部にあるコネクタのインジケータと協働するように構成された第２のインジケータを含み、前記吸息導管は、患者にガスを供給するように構成されている、出口ポート；および
前記ヒーターベース上の対応するインターロック特徴を受け入れるように構成された前記上壁のインターロック特徴であって、前記第１および第２のセンサーが前記入口ポートおよび出口ポートの前記アパーチャに収容されるように、前記ヒーターベース上へ前記チャンバの挿入を案内するインターロック特徴
を含む加湿装置。
【請求項２】
前記第１および第２のセンサーが、前記ヒーターベースに機械的におよび電気的に接続されたセンサーカートリッジモジュールに組み込まれている、請求項１に記載の加湿装置。
【請求項３】
さらに、供給導管および吸息導管を含み、前記供給導管の第１の端部は、前記入口ポートに結合するように構成されたチャンバ端部コネクタを含み、前記供給導管の第２の端部は、ガス供給装置に結合するように構成され、前記供給導管のチャンバ端部コネクタの少なくとも一部は、前記第１のインジケータを含み、前記吸息導管の第１の端部は、前記出口ポートに結合されるように構成されたチャンバ端部コネクタを含み、および前記吸息導管のチャンバ端部コネクタの少なくとも一部は前記第２のインジケータを含む、請求項１または２に記載の加湿装置。
【請求項４】
前記第１のインジケータは第１の色を含み、および前記第２のインジケータは第２の色を含む、請求項１〜３のいずれか一項に記載の加湿装置。
【請求項５】
ある量の液体を保持するように構成され、かつ：
少なくとも１つの側壁；
前記少なくとも１つの側壁に接続された上壁；
前記少なくとも１つの側壁に接続されたベース面；
前記少なくとも１つの側壁および前記上壁によって少なくとも部分的に画成されているキャビティ；
前記加湿チャンバの前記キャビティへの通路を画成する入口ポートであって、ヒーターベースに取り付けられた第１のセンサーを受け入れるように構成されたアパーチャを有する入口ポート；
前記加湿チャンバの前記キャビティからの通路を画成する出口ポートであって、ヒーターベースに取り付けられた第２のセンサーを受け入れるように構成されたアパーチャを有する出口ポート；
を含む加湿チャンバ
を含み、
前記加湿チャンバの前記少なくとも１つの側壁および前記上壁の少なくとも一方が、前記加湿チャンバの前側および前記加湿チャンバの後側を画成する特徴を有し；
前記入口ポートの前記アパーチャを通って延びる軸が、前記出口ポートの前記アパーチャを通って延びる軸に全体的に平行であって、これら両軸は、前記加湿チャンバの前後方向に延在し、および前記加湿チャンバの前記ベース面に全体的に平行に延在している、加湿装置。
【請求項６】
さらに、前記加湿チャンバを受け入れるように構成されたヒーターベースを含む、請求項５に記載の加湿装置。
【請求項７】
前記少なくとも１つの側壁および前記上壁の少なくとも一方が、前記ヒーターベース上の対応するインターロック特徴を受け入れるように構成されたインターロック特徴を含み、前記第１および第２のセンサーが前記入口および出口ポートの前記アパーチャに受け入れられるように、前記ヒーターベース上へ前記チャンバの挿入を案内する、請求項５または６に記載の加湿装置。
【請求項８】
前記インターロック特徴が前記上壁に凹部を含み、および前記ヒーターベース上の前記インターロック特徴が、対応する突起を含み、前記上壁の前記インターロック特徴および前記ヒーターベース上の前記インターロック特徴が、前記入口ポートおよび前記出口ポートにある前記アパーチャの前記軸に沿って動くことによって係合される、請求項７に記載の加湿装置。
【請求項９】
前記ヒーターベースが、前記第１および第２のセンサーを含むセンサーカートリッジを含む、請求項６に記載の加湿装置。
【請求項１０】
さらに、前記出口ポートに結合するように構成されたチャンバ端部コネクタおよび少なくとも１つのセンサーおよび／または加熱素子を含む吸息導管を含み、前記チャンバ端部コネクタは、前記センサーカートリッジ上の対応する電気的な接続部に結合するように構成された電気的な接続部を含む、請求項９に記載の加湿装置。
【外国語明細書】
2020182864000001.pdf